(57)【要約】【課題】自動開閉扉の開閉操作に際して、開閉扉の動きに対して注意の喚起を促して、開く開閉扉による衝突、或いは閉じる開閉扉による手や指の挟み込み等の危険を未然に防止することができる引出し式加熱調理器を提供する。【解決手段】被加熱物を載置可能な引き出し体２は、扉２ａと共に調理器本体１に対して引き出し可能である。引き出し体２の調理器本体１内への収容状態では、加熱室の開口部１０は扉２ａで閉鎖される。扉２の開閉に際して、調理器本体１又は扉２ａに設けられているスピーカ１３から警告音が発せられる。警告音は、例えば、センサで検出される扉２ａの開閉距離に応じて、音高、音色及び音量等の各種設定が可能である。警告音は、加熱調理器を操作をする者及び加熱調理器の周囲に居る人に、開成時の扉２ａによる人や物への衝突及び閉成時の扉２ａによる挟み込みを回避するように注意を喚起する。【選択図】図２
2008064353.tif 000002
【特許請求の範囲】
【請求項１】
調理器本体に対して被加熱物を載置する引き出し体を引出し及び収容可能であり、収容状態で加熱室の開口部を開閉扉で封鎖可能な引き出し式加熱調理器において、
前記開閉扉の開扉動作及び前記開閉扉の閉扉動作に対してそれぞれ異なった警告音を発生させる音設定をし、前記開閉扉の開扉動作及び前記開閉扉の閉扉動作の際に、当該動作に対して前記音設定がされている前記警告音を発生させることを特徴とする引出し式加熱調理器。
【請求項２】
前記警告音の前記音設定は、前記開閉扉の前記開扉動作及び前記閉扉動作の際における開閉速度に応じて定められることを特徴とする請求項１に記載の引出し式加熱調理器。
【請求項３】
前記開閉扉の前記開閉速度は、ユーザーの使用条件又は前記被加熱物の特性に応じて変更可能に設定されることを特徴とする請求項２に記載の引出し式加熱調理器。
【請求項４】
前記警告音の前記音設定は、前記開閉扉の最大開距離に応じて定められることを特徴とする請求項１に記載の引出し式加熱調理器。
【請求項５】
前記開閉扉の前記最大開距離は、ユーザーの使用条件又は前記被加熱物の特性に応じて変更可能に設定されることを特徴とする請求項４に記載の引出し式加熱調理器。
【請求項６】
前記警告音について、前記音設定をユーザーが更に変更可能であることを特徴とする請求項１乃至５のいずれか１項に記載の引出し式加熱調理器。
【発明の詳細な説明】
【技術分野】
【０００１】
この発明は、調理器本体に対して引き出し体を引出し及び収容可能であり、収容状態で加熱室の開口部を開閉扉で封鎖可能な引き出し式加熱調理器に関する。
【背景技術】
【０００２】
従来、被加熱物を載置可能な引き出し体を開閉扉と共に調理器本体に対して引き出し可能であり引き出し体を調理器本体内の加熱室内に収容する収容状態では加熱室の開口部を開閉扉で閉鎖可能な引き出し式加熱調理器が提案されている（特許文献１、特許文献２）。この種の引き出し式加熱調理器においては、被加熱物を収容する調理室（加熱室）を有する機器本体（調理器本体）と、調理室を外気から遮断する開閉扉と、この開閉扉と連動する底板或いは被調理物を載置可能な加熱容器（引き出し体）とを備えている。より詳細には、底板或いは加熱容器はスライド機構によって円滑にスライドされ、モーターの回転出力がラック・ピニオン機構のような伝達手段を介してスライド機構に伝達されることにより、底板或いは加熱容器を機器本体に対して引き出し又は収容方向に移動させることができる。底板或いは加熱容器が機器本体に収容された状態では、開閉扉は調理室を外気から遮断する。特許文献２に記載の加熱調理器は、上部に開口が形成されて調理器本体から引き出し可能な加熱容器の前記開口を蓋部で覆うことで、マイクロ波を閉じ込める加熱室を形成し、加熱容器の開口周縁部と蓋部との間にチョーク溝を設けることで、電波の漏れを防止している。
【０００３】
このように、引き出し式加熱調理器では、扉と連結した引き出し体を電動開閉動作させることによって、被加熱物である食品の載置と取り出しが容易であり、従来の手操作で扉を開閉する加熱調理器と比較して、優れた利便性を提供しているが、従来、台所に設置されていた冷蔵庫、食器洗い機、電子レンジなどの家電機器は、扉を使用者の操作力によって開閉する機器がほぼ全てを占めており、電動開閉動作に馴染みがないことから、安全性面での配慮が必要である。
例えば、上記の従来の引出し式加熱調理器の自動開閉扉機構では、自動開閉を意識して操作した使用者は開閉動作の発生を予期できるが、使用者以外にとっては、予期されていない開閉動作が発生することになる。また、使用者自身が、意図せずに開閉操作を行った場合も、予期されていない開閉動作が発生することになる。
このような場合、比較的質量の大きい引き出し体が動作することから、開閉扉を閉めるときに開閉扉に手指などを挟まれる、あるいは、開閉扉の動作に気づかずに身体の一部が衝突するなどの可能性がある。
また、加熱調理器の設置場所やユーザーのライフスタイルのような使用条件、あるいは被加熱物のサイズ、容器からの溢れやすさ等の被加熱物の特性によって、開閉扉に求められる必要な開閉距離及び開閉速度が異なっていることから、開閉扉の開閉動作条件を使用者に告知する方法が求められている。
【０００４】
引出しの際に警告音を発することについては、技術分野が異なるが、画像記録装置において、引き出し警告音を発生させることが提案されている（特許文献３）。即ち、記録紙のような記録材が収容されるホッパのエンプティ状態又はスタッカの満杯状態を検出すると、ホッパ又はスタッカの引き出し動作が行われ、その際に、ブザー等の警告音発生手段を作動させて、各状態をオペレータに知らせるとともに、引き出し動作中のホッパ又はスタッカの周辺部に対し注意を喚起している。
【０００５】
特許文献４には、家電機器の報知音の設定方法について、複数の機器の複数の種類の報知音に対して、互いに異なるはリズム、音階、抑揚などの音の要素を付加することによって、互いに明瞭に区別が可能な報知音を定義する技術手法が提案されている。
【特許文献１】特開平３−４５８２０号公報（第２頁下左欄第６行〜第３頁上右欄第１６行、図１〜図）
【特許文献２】特開平１１−２３７０５３号公報（段落［００２９］〜［００３２］、図１）
【特許文献３】特開平８−１７５７４６号公報（段落［００１９］、図７）
【特許文献４】特開平９−１０１７９６公報
【発明の開示】
【発明が解決しようとする課題】
【０００６】
そこで、引出し式加熱調理器において、自動開閉扉の開閉操作に際して、操作をする者以外の引出し式加熱調理器の周囲に居る人にも、開閉扉の動きに対して注意の喚起を促す点で解決すべき課題がある。
【課題を解決するための手段】
【０００７】
この発明の目的は、自動開閉扉の開閉操作に際して、操作をする者はもとよりそれ以外の引出し式加熱調理器の周囲に居る人にも、開閉扉の動きに対して注意の喚起を促して、開く開閉扉による衝突、或いは閉じる開閉扉による手や指の挟み込み等の危険を未然に防止することができる引出し式加熱調理器を提供することである。
【０００８】
上記の課題を解決するため、この発明による引出し式加熱調理器は、調理器本体に対して被加熱物を載置する引き出し体を引出し及び収容可能であり、収容状態で加熱室の開口部を開閉扉で封鎖可能な引き出し式加熱調理器において、前記開閉扉の開扉動作及び前記開閉扉の閉扉動作に対してそれぞれ異なった警告音を発生させる音設定をし、前記開閉扉の開扉動作及び前記開閉扉の閉扉動作の際に、当該動作に対して前記音設定がされている前記警告音を発生させることを特徴としている。
【０００９】
この引出し式加熱調理器によれば、開閉扉の開扉動作及び開閉扉の閉扉動作の際に当該動作に対して音設定がされている警告音が発生されるので、開閉扉の自動開成時には、加熱調理器の周囲に居る人に開扉動作に対して音設定がされている警告音によって注意を喚起し、開閉する扉が人や物に不意に衝突することを未然に防止する。また、開閉扉の自動閉成時にも、閉扉動作に対して音設定がされている警告音によって注意を喚起し、閉まろうとする開閉扉によって手や指或いは物が挟み込まれないように、これらの事故を未然に防止することができる。また、意識なく引出し式加熱調理器の扉開閉キーに触れたために開閉扉が動くような場合には、周囲に居る人は開閉扉のそうした不意の動きを警告音によって直ちに認識することもできる。更には、音設定によって自動開閉時にユーザーの好みに合った警告音を発生させることで、引き出し開閉時の好ましくない機械的な音を消す作用がある。
【００１０】
この引出し式加熱調理器において、前記警告音の設定が変更可能である。
例えば、音の設定については、自動開成時と自動閉成時の警告音に対して周波数の上昇と下降を対比させるよう設定すれば、使用者の聞き分けが容易である。また、そのように対比させた警告音に対して、被加熱物の量や熱量のような特性に応じて修正・変更を加えれば、警告音の聞き分けやすさを損なうことなく、警告音の使用者に対して与える印象を変えることができる。例えば、高周波の音が聞き取りにくい場合は、音階を移動することにより、聞き取りやすい警告音対比とすることができる。
【００１１】
警告音の変更の例として、前記開閉扉の開距離に応じて変更することができる。即ち、開閉扉の開距離の長短に応じて、音設定の使い分けが可能である。また、警告音については、上記聞き分けやすさを基に開扉と閉扉に対する警告音の設定例を用意し、ユーザーが選択可能とすれば、使用者の感覚、感性、使用環境に対して不適当な設定を避けることができるので、より好ましい。
【００１２】
音設定を変更可能とした引出し式加熱調理器において、前記警告音の前記音設定は、前記開閉扉の開扉動作及び前記閉扉動作の際における開閉速度に応じて定めることができる。開閉扉の開閉速度が速い場合には、人や物に衝突する、或いは手や指或いは物を挟み込む危険性が高くなる。したがって、開閉扉の開閉速度が速いほど、警告性の高い警告音とするため、音周波数の上昇速度の加速、音量の漸強などの設定を行うことが好ましい。逆に、開閉扉の開閉速度がゆっくりとしている場合には、逆に警告性の低い警告音とする音設定が好ましい。
【００１３】
更に、前記開閉扉の前記開閉速度は、ユーザーの使用条件および前記被加熱物の特性に応じて変更可能に設定することができる。一般に、加熱調理終了後の被加熱物は、冷めないうちに配膳されることが好ましいので、使用者が望む限り急速に開扉することが、求められる。使用者が、比較的性急な動作を望む場合、開扉動作が緩やかであると、使用者が開扉動作に介入して、手動で開扉を促進させる可能性があり、不用意な操作によって、食品のこぼれなどが懸念されるので、開扉動作を加速することが望ましい。但し、使用者が、高温の食品を配膳のために取り扱うことを望まない場合は、緩やかに開扉することが望まれる。
【００１４】
被加熱物の特性としては、例えば、被加熱物が液体である場合、多量の水蒸気が発生している可能性があるので、開扉速度を抑えるのが好ましい。さらには、液体の被加熱物は、容器の中で揺れ、もしくは容器の転倒によってこぼれる可能性があることからも、開扉速度を抑えるのが好ましい。
特に、子供など、操作に不慣れなものが食品を取りだす場合は、危険防止の見地から、開扉速度を抑えるのが好ましい。例えば、操作部に、チャイルドロックボタンに類する設定ボタンを設け、開扉ボタンとチャイルドロックボタンを同時に押した場合は、急速な開扉、開扉ボタンだけを押した場合は、緩やかな開扉を行うこととすれば、より好ましい。
以上のように、ユーザーの使用条件および被加熱物の特性に応じて開閉扉の開閉速度を定めることが望ましい。
【００１５】
音設定を変更可能とした引出し式加熱調理器において、前記警告音の前記音設定は、前記開閉扉の最大開距離に応じて定めることができる。例えば、最大開距離を長く設定するときには、警告性の高い音に対応付けることができる。逆に、最大開距離を短く設定するときには、警告性の低い音に対応付けることができる。
【００１６】
この引出し式加熱調理器において、更に、前記開閉扉の前記最大開距離は、ユーザーの使用条件又は前記被加熱物の特性に応じて設定することができる。例えば、被加熱物に応じて開閉距離を変更することで、無駄な開閉距離及び時間を確保する必要性をなくすことができる。また、ユーザーが開閉扉の開閉距離を設定可能であるので、危険を防止し、家具などに衝突するのを防止することができる。
【００１７】
この引出し式加熱調理器において、前記警告音の音設定については、ユーザーが更に変更可能であることが好ましい。引出し式加熱調理器として、開閉扉の開閉速度や最大開距離に応じて予め設定しておくことができるが、ユーザーによっては、警告音の聞き分けが容易になるように、更に、音設定を変更可能にしておくことが好ましい。
【発明の効果】
【００１８】
この発明による引出し式加熱調理器は、上記のように構成されているので、開閉扉の開閉の際に警告音が発生し、開閉扉の自動開成時には加熱調理器の周囲に居る人に自動開成に応じた警告音によって注意を喚起して自動開成する扉が人や物に不意に衝突することを未然に防止し、更にはそうした衝突に起因して人や物の転倒を防ぐことができる。また、開閉扉の自動閉成時にも、自動閉成に応じた警告音が発生することで、閉まろうとする開閉扉によって手や指或いは物が挟み込まれないように、これらの事故を未然に防止することができる。更に、意識なく引出し式加熱調理器の扉開閉キーに触れたために開閉扉が動くような場合には、周囲に居る人は開閉扉のそうした開成又は閉成の不意の動きを警告音によって直ちに認識することもできる。
このように、この引出し式加熱調理器によれば、開閉扉の開閉操作に際して、操作をする者はもとよりそれ以外の引出し式加熱調理器の周囲に居る人にも、開閉扉の動きに対して注意の喚起を促して、開く開閉扉による衝突、或いは閉じる開閉扉による手や指の挟み込み等の危険を未然に防止することができる。
更には、開閉時にユーザーに好ましい音を発生させることで、開閉扉の開閉時の好ましくない機械的な音を消す効果がある。
また、開閉速度及び最大開距離を可変にするときにも、警告音の音設定により、ユーザーの使用条件、被加熱物に対応することができる。更に、警告音の音設定により、開閉扉の開閉について変化する状況を把握し認識することができる。
【発明を実施するための最良の形態】
【００１９】
以下、添付した図面に基づいて、この発明による引出し式加熱調理器の実施例を説明する。図１はこの発明による引出し式加熱調理器の一実施例を開閉扉が閉じられている状態で示す斜視図、図２は図１に示す引出し式加熱調理器の開閉扉が開けられている状態で示す斜視図、図３は図１に示す引出し式加熱調理器の側面断面図である。
【００２０】
図１、図２に示すように、引き出し式加熱調理器（以下、単に「加熱調理器」と略記する）は、調理器本体１と、調理器本体１から引き出し可能な引き出し体２とを備えている。調理器本体１の内部には、調理される被加熱物を載置するための引き出し体２が進入可能な加熱室が形成されている。加熱室は、内部が左右・上下及び奥の各壁で囲まれているが、前面が引き出し体２の出し入れのために開口部に形成されている。
【００２１】
引き出し体２は、矢印で示す方向に調理器本体１の加熱室内から外側へ引き出す又はその反対に外側から閉じることができるように、後述するスライド機構４によって調理器本体１内で移動可能に配置されている。引き出し体２は、加熱室を開閉するための開閉扉（以下、「扉」と略す）２ａと、扉２ａが取り付けられ且つ被加熱物を載置状態に収容するための加熱容器３とを備えている。加熱容器３は、扉２ａに取り付けられる前板、前板の左右から後方に延びる左右側の側板と、側板に対してその背面（奥）側でつながる後板と、側板及び後板につながる底板とを有しており、上部に被加熱物を出し入れ可能な容器開口部が形成されている。調理器本体１内には、図示しないが、加熱室の周りに、マイクロ波を発生するマグネトロンとマグネトロンで発生したマイクロ波を伝搬する導波管とから構成されているマイクロ波発生装置が配設されている。マグネトロンで発生したマイクロ波は導波管を伝播し、給電口から加熱室内に供給される。
【００２２】
加熱調理器は、引き出し体２を調理器本体１内で移動させるために、加熱容器３の左右両外側に配置されたスライド機構４，４及び底側に配置されたスライド機構４（図３参照）を備えている。各スライド機構４は、詳細については図示しないが、固定レールに対して可動レールをスライド可能としたスライドレールから成る入れ子式の機構である。引き出し体２は、加熱容器３が加熱室から完全に引き出された全開位置と、加熱容器３を加熱室内に完全に収納する全閉位置との間で移動可能である。引き出し体２が全閉位置を占めるときには、扉２ａが加熱室の開口部１０を閉じているので、加熱室の内部空間は調理器本体１の内壁面と引き出し体２によって密閉される。
各スライド機構４は、加熱室の左右各側及び底側において調理器本体１に形成される通路ボックスにおいて設けられており、固定レールは、通路ボックスにおいて加熱室の外側に取り付けられ、可動レールは、引き出し体２と共に通路ボックス内に出没可能である。引き出し体２は、各スライド機構４を介して調理器本体１に支持され、安定して加熱室から引き出し可能である。
図３に示すように、引き出し体２を開閉方向に駆動するため、底側のスライド機構４において、可動レールにはその長手方向に沿ってラック５が固定されており、調理器本体１に設けられた駆動モーター６の出力軸に取り付けられたピニオン７がラック５に噛み合っている。
【００２３】
少なくともいずれかのスライド機構４には、引き出し体２を全閉位置と全開位置にそれぞれ移動させたときに全閉検知スイッチ或いは全開検知スイッチを作動させる機構が設けられている。全閉検知については、引き出し体２を、開き状態から全閉位置へ押し込んだときに、可動レールの最奥位置に設けられている作動レバーは、全閉検知スイッチをオン動作させる。また、図３に示すように、通路ボックスにおいて、調理器本体１には全閉及び全開の検知スイッチを含めて複数の検知スイッチ８（８ａ〜８ｅ）が引き出し体２の引き出し方向に沿って適宜間隔で配置されている。このように、引き出し体２の全開、中間、及び全閉の各位置に応じて配置されている各検知スイッチ８の作動によって引き出し体２の位置を知ることができ、扉２ａのこうした位置情報に基づいて引き出し体２の開閉制御が行われている。
【００２４】
引き出し体２を引き出すときには、作動レバーは全閉検知スイッチから離脱して、全閉検知スイッチをオフ動作させる。したがって、加熱調理後については勿論のこと加熱調理中であっても、引き出し体２を開くとマイクロ波発生装置への電力供給がオフ状態となり、マイクロ波の発生を不能とする。全閉検知スイッチは、マイクロ波の発振と停止を制御するスイッチの一部として用いることができる。加熱調理器を実際にどのように加熱作動させるかについては、ユーザーが他の操作スイッチを操作して設定できる。また、加熱調理開始のメインスイッチは別途設けられている。なお、調理器本体１（或いは扉２ａ）には、扉２ａの開閉操作を含む加熱調理器の作動操作用の操作スイッチ（開閉扉操作部）１２を配置することができる。
【００２５】
このように、引き出し式加熱調理器は、被加熱物を載置可能な引き出し体２を扉２ａと共に調理器本体１に対して引き出し可能であり引き出し体２を調理器本体１内の加熱室内に収容する収容状態では加熱室の開口部１０を扉２ａで閉鎖可能な引き出し式加熱調理器である。扉２の開閉に際して、後述する警告音を発するスピーカ１３が調理器本体１又は扉２ａに設けられている。
【００２６】
図４には、引出し式加熱調理器の開閉扉の駆動と警告音に関する制御ブロック図が示されている。開閉扉駆動制御部２０は、引出し式加熱調理器の制御部の一部を構成している。開閉扉駆動制御部２０は、開閉扉駆動部（駆動モーター）６に駆動制御信号を発し、開閉扉駆動部（モーター）６はピニオン７及びラック５から成る伝動機構を介して扉２ａに開閉駆動力を与えて、扉２ａを自動開成又は自動閉成する。扉２ａの位置や速度（駆動モーターの出力回転、或いは位置間の検出に要した時間から検出可能）はセンサ８ａ〜８ｅによって常に検出されており、検出データは開閉扉駆動制御部２０にフィードバックされて、設定された速度と位置とで扉２ａの開閉を制御している。
【００２７】
警告音の設定は、音設定部２１によって行われる。即ち、音設定データ部２２から予め用意されている設定データを読み出して、読み出したデータを調理器本体１の前面に設けられる音設定表示部１４に表示させて、ユーザーは、その表示を見ながら対話型式で音設定入力部２３によって警告音の音設定することができる。音設定表示部１４は、一般的な加熱調理器の表示部であって、メニュー画面から音設定時に選択したときに表示される画面とすることができる。
音設定入力部２３は、音設定表示部１４上のタッチパネル或いはリモコン操作とすることができる。音設定入力部２３での操作・選択によって設定されたデータは音設定記憶部２４に記憶される。音の設定は、後述するように、音高、音色、音量等を選択又はレベル設定することで設定可能である。
【００２８】
音の設定は音設定記憶部２４に記憶され、音設定記憶部２４からの読出しによって、音制御部２５がスピーカ１３における出力制御を行う。即ち、どのような音高、音色でどれだけの音量でどの位の時間をかけて警告音を発するかを定める。扉２ａの開閉位置及び速度についての検出データが開閉扉駆動制御部２０のみならず、音制御部２５にも入力されているので、警告音の発生制御は扉２ａの開閉制御と歩調を合わせて行われる。
【００２９】
音の設定は、予め記憶されている警告音を選択し、更に、警告性を高める変更については、それぞれの変更方法から採用する方法を選択し、設定することが可能である。設定された報知音は、音設定記憶部２４に記憶され、音設定記憶部２４からの読出しによって、音制御部２５がスピーカ１３における出力制御を行う。即ち、どのような音高、音色でどれだけの音量でどの位の時間をかけて警告音を発するかを定める。扉２ａの開閉位置及び速度についての検出データが開閉扉駆動制御部２０のみならず、音制御部２５にも入力されているので、警告音の発生制御は扉２ａの開閉制御と歩調を合わせて行われる。
【００３０】
使用者の教養、嗜好、感性などによって、警告音がどのように受容されるかが左右されるので、警告音の選定及び設定に際しては、基本的な設定基準を守ることは必要であるが、製品に採用するに当たっては、複数の使用者に対して、本願発明の試用及び試聴を依頼し、開扉／閉扉動作に対する関連付け及び警告音の警告性が理解されやすい警告音を選定するよう設定することが好ましい。
【００３１】
警告音の警告性の設定方法及び開扉と閉扉の際の警告音の聞き分けの設定方法を、簡単な警告音を例にとって説明する。まず、開扉時の警告音として上昇傾向のメロディ、閉扉時の警告音として下降傾向のメロディを割り当てることを決めておけば、一般の使用者も、比較的短期間に、開扉動作と閉扉動作の聞き分けが容易となる。
上昇傾向の単位メロディの例である「ドレミレミファミファソファソラソラシド」と、下降傾向の単位メロディの例である「ドシラシラソラソファソファミファミレド」とを警告音に利用することとする。ここに、「ラ」音を８８０Ｈｚとすれば、衆知のハ調長音階で、三音連続で上昇／下降しては、一音下降／上昇し、最終的に一オクターブ上昇／下降して完結するメロディとなる。
【００３２】
単位メロディを構成する各音の持続時間をすべて一定して０．５秒として連続させるものとすれば、例えば、各音を四分音符と仮定したとき、一分間に四分音符を１２０個発生させるテンポであるメトロノーム１２０（Ｍ．Ｍ．＝１２０）のテンポとなる。また、各音を連続して切れ目なく発生させることから、音楽用語で言えば、レガート表現となる。また、音量は一定とし、漸強、漸弱などの音量変化を行わないものである。
【００３３】
単位メロディが終了しても、開扉又は閉扉の動作が終了していないときは、単位メロディを繰り返すものとし、開扉又は閉扉の動作が終了したときは、発生している単位メロディの最終音を、１．０秒継続したあと、終了するものとする。この場合、開扉距離の変化は、単位メロディの繰り返し回数の変化となり、単位メロディ自身には変化を加えないものとしている。
【００３４】
以上の上昇音警告音を［Ａ０１］警告音、下降音警告音を［Ｂ０１］警告音とする。
開扉動作の際に［Ａ０１］警告音、閉扉動作の際に［Ｂ０１］警告音を発生すれば、調理器の動作を目視していなくても、容易に、開扉、閉扉の動作開始、動作中及び終了を知ることができる。
また、単位メロディの発生に際して、以下のａ〜ｄに例示したような加工を行うことにより、警告音が使用者に対して与える警告性を高めることができる。
ａ．短縮    単位メロディの繰り返しの際に、各音の持続時間を短縮した［Ａ０１ａ］警告音及び［Ｂ０１ａ］警告音は、［Ａ０１］警告音、［Ｂ０１］警告音と比較して、使用者が緊張感を覚えるので警告性が高まる。
ｂ．漸強    単位メロディの繰り返しの際に、音量を増大させた［Ａ０１ｂ］警告音及び［Ｂ０１ｂ］警告音は、［Ａ０１］警告音、［Ｂ０１］警告音と比較して、使用者が緊張感を覚えるので警告性が高まる。
ｃ．断続    単位メロディの各音の持続時間を短縮して、例えば、０．５秒の発生時間を０．４秒の発生時間と０．１秒の無音時間とした［Ａ０１ｃ］警告音及び［Ｂ０１ｃ］警告音は、音楽用語で言えば、スタッカート表現となり、［Ａ０１］警告音、［Ｂ０１］警告音と比較して、使用者が緊張感を覚えるので警告性が高まる。
ｄ．衝撃    単位メロディの各音の鳴り始めの音量を増大し、直ちに音量を減少させ、打撃音に近づけた［Ａ０１ｄ］警告音及び［Ｂ０１ｄ］警告音は、［Ａ０１］警告音、［Ｂ０１］警告音と比較して、使用者が緊張感を覚えるので警告性が高まる。
【００３５】
以上のａ乃至ｄの項目による変更は、単独に行うだけでなく、二項目以上を合わせて行うこともできる。例えば、ａ，ｂ，ｃ及びｄを同時に実施した［Ａ０１ａｂｃｄ］警告音及び［Ｂ０１ａｂｃｄ］警告音とすることも可能である。
【００３６】
更に、単位メロディの連続する三音を、全音音階でなく半音音階で上昇／下降する構成とした単位メロディを使用した［Ａ０２］警告音、［Ｂ０２］警告音を基本警告音として設定すると、［Ａ０１］警告音、［Ｂ０１］警告音と比較して、使用者が緊張感を覚えるので、警告性が高まる。
［Ａ０２］警告音，［Ｂ０２］警告音に対して、上記ａ乃至ｄの加工を行い、それぞれ警告性の高い［Ａ０２ａ］警告音、［Ｂ０２ａ］警告音、乃至［Ａ０２ｄ］警告音、［Ｂ０２ｄ］警告音を得ることができる。
【００３７】
【表１】
2008064353.tif 000003
【表２】
2008064353.tif 000004
【００３８】
即ち、表１の縦方向の選択によって、［Ａ０１］、［Ｂ０１］〜［ＡＮ］、［ＢＮ］までのＮ個の基本メロディの択一的選択を行い、選択された基本メロディに対する変更方法をａ，ｂ，ｃ，ｄ等の方法から選択することにより、開扉／閉扉の聞き分けと強弱のある警告性とを持った警告音の設定及び使用者の嗜好に応じた選択が可能となる。
【００３９】
上記の警告音の設定及び変更については、技術的な手法として述べているが、実務においては、楽譜の形で記述した警告音をコンピュータ操作可能な電子鍵盤楽器で演奏し、上記の手法を演奏表現として実施すれば、再現性の高い試用確認が容易である。
特に、楽譜の演奏を行う場合、当初ハ長調で設定した単位メロディをニ長調、変ホ長調等に移調して演奏することにより、１オクターブを１２段階に区分した段階的な周波数変更が容易である。音高設定において、連続的に音高を変化させた場合、ユーザーの聴音感覚によっては不快感を与えることがあるが、音楽的に移調として聞き取れる音高変更とすれば、不快感を与えることなく音高設定することができる。
【００４０】
以上の変更内容と警告性の変化は、極めて単純な音階を使用したメロディを題材とした単純な設定方法を例示しているが、開扉時と閉扉時の聞き分けが容易であり、かつ、警告性の差を聞き分けやすいことを試用確認した上で選択すれば、より複雑且つ自由なメロディ及び加工方法を試用・確認の上、採用することができる。
【００４１】
音設定表示部１４における音設定操作の一例が図５に示されている。引出し距離設定の項目では、全閉から全開までの開閉による引出し距離（区間として定めるのが好ましいが、これに限らない）を設定し、各引出し距離に応じて、音高設定、音色設定及び音量設定がそれぞれ可能である。リズム設定では、単音の繰り返しであるか、或いはある種のリズムパターンを持ったリズム要素（短いもので繰り返し演奏される）を選択可能である。
【００４２】
音高設定では音階、音周波数の高低等を選択可能である。音色設定では、笛等の楽器音の種類や合成音の種類を選択可能である。更に、音量設定では、警告音の音量及び音量の漸強または漸弱を設定可能である。
図５では、ユーザーが音設定変更後の警告音を試聴し、音設定変更を確定するか、あるいは、音設定変更を中止し従前の音設定を維持するか、選択可能となっている。
【００４３】
図６は、実際の警告音の態様を、（ａ）開閉扉自動開成時と（ｂ）開閉扉自動閉成時とでそれぞれ例示してある。図６に示すように、警告音の音設定は、現在の開閉扉の動作が開扉動作であるのか、それとも閉扉動作であるのかに応じて、また各動作において現在の開成距離Ｌに応じて定めることができる。即ち、図６（ａ）に示すように、自動開成時においては、扉が開いて行って開閉距離Ｌが大きくなるに従って音高を高めることができる。最大開成距離Ｌｍａｘが大きいほど、音高の最大値も高めることができる。一方、図６（ｂ）に示すように、自動閉成時においては、扉が閉じて行って開閉距離Ｌが小さくなるに従って音高を高めることができる。この場合も、最大開成距離Ｌｍａｘが大きいほど、且つ完全閉成に近づくほど音高を高めることができる。
【００４４】
更に、この音設定は、開閉扉の開閉速度、最大開成距離及びユーザーの使用条件又は被加熱物の特性に応じて定めることができ、例えば、開閉扉の開閉速度が速いほど、最大開成距離が長いほど、加熱熱量や被加熱物のサイズが大きいほど、警告性の高い音設定を行うことが好ましい。
あるいは、引出式加熱調理器で液体の被加熱物を、静止状態で高周波加熱する場合、被加熱物の温度が沸騰点を超えても沸騰せず開閉扉の開成時の振動で沸騰開始する突沸現象が発生し易いため、開閉扉の閉成時の音設定に比べて開成時に対して警告性の高い音設定を行うことが好ましい。
このような音設定を、ユーザーが試聴し確認することにより、警告音として聞き取りやすく、また、動作による警告音の相違が聞き分けやすい設定とすることができる。
【図面の簡単な説明】
【００４５】
【図１】この発明による引出し式加熱調理器の一実施例を開閉扉が閉じられている状態で示す斜視図。
【図２】図１に示す引出し式加熱調理器の開閉扉が開けられている状態で示す斜視図。
【図３】図１に示す引出し式加熱調理器の側面断面図。
【図４】引出し式加熱調理器の開閉扉の駆動と警告音に関する制御ブロック図。
【図５】警告音の試聴と設定を行う操作部の一例を示す図。
【図６】警告音の態様を（ａ）開閉扉自動開成時と（ｂ）開閉扉自動閉成時とでそれぞれ例示する図。
【符号の説明】
【００４６】
１  調理器本体
２  引き出し体                        ２ａ  開閉扉
３  加熱容器                          ４  スライド機構
５  ラック                            ６  駆動モーター
７  ピニオン                          ８（８ａ〜８ｅ）  検知スイッチ
１０  開口部
１２  操作スイッチ                    １３  スピーカ
１４  音設定表示部
２０  開閉扉駆動制御部                ２１  音設定部
２２  音設定データ部                  ２３  音設定入力部
２４  音設定記憶部                    ２５  音制御部
Ｌ  開閉距離                        Ｌｍａｘ  最大開成距離
【図１】
2008064353.tif 000005
【図２】
2008064353.tif 000006
【図３】
2008064353.tif 000007
【図４】
2008064353.tif 000008
【図５】
2008064353.tif 000009
【図６】
2008064353.tif 000010